(57)【特許請求の範囲】
【請求項１】
少なくとも前後一対の針床を有し、前後の針床の少なくとも一方が左右にラッキング可能で、前後の針床間で編目の目移しが可能な横編機を用いて、前後の針床に係止される各編地部のウエール方向端部の編目同士を伏せ目処理により繋ぎ合わせる編地の編成方法であって、
針床の長手方向に伏せ目が順次形成されていく方向を伏せ目方向、伏せ目方向とは逆方向で、伏せ目が形成され始める部分に向かう方向を始端方向としたときに、
一方の針床に係止される編地部の隣接する２つの編目のうち、始端側の編目が当該編地部の裏側に配置される伏せ目となるように、これら２つの編目同士を重ね合わせ、その重ね目に続いて、当該編地部の裏側に配置される次の伏せ目となる裏目を新たに形成すること、および、
他方の針床に係止される編地部の隣接する２つの編目のうち、始端側の編目が当該編地部の裏側に配置される伏せ目となるように、これら２つの編目同士を重ね合わせ、その重ね目に続いて、当該編地部の裏側に配置される次の伏せ目となる裏目を新たに形成すること、
を１つの給糸口から給糸される編糸を用いて交互に繰り返す過程を含み、
上記過程において、交互に裏目を形成するときに、先に形成された裏目から給糸口に延びる編糸が、その裏目の表側に交差するように給糸口を移動させてから次の裏目を形成することを特徴とする編地の編成方法。
【請求項２】
一方の針床に係止される編地部の隣り合う編目のうち、始端方向側の編目を編目α、伏せ目方向側の編目を編目βとし、他方の針床に係止される編地部の隣り合う編目のうち、始端方向側の編目を編目γ、伏せ目方向側の編目を編目δとしたときに、
給糸口を編目γよりも始端方向側に配置した状態で、編目γを対向する一方の針床に目移しする工程Ａと、
編目γと編目δとを重ね合わせることで重ね目εを形成する工程Ｂと、
重ね目εを通過するように給糸口を往復移動させる間に重ね目εが係止される編針に給糸して、裏目ζを形成する工程Ｃと、
裏目ζを他方の針床に目移しする工程Ｄと、
給糸口を編目αよりも始端方向側に配置した状態で、編目αを対向する他方の針床に目移しする工程Ｅと、
編目αと編目βとを重ね合わることで重ね目ηを形成する工程Ｆと、
重ね目ηを通過するように給糸口を往復移動させる間に重ね目ηが係止される編針に給糸して、裏目θを形成する工程Ｇと、
裏目θを一方の針床に目移しする工程Ｈと、を備え、
工程Ａ〜工程Ｈを繰り返すことを特徴とする請求項１に記載の編地の編成方法。
【請求項３】
工程Ｃにおける裏目ζの形成、および工程Ｇにおける裏目θの形成の少なくとも一方は、給糸口の往復移動のうち、伏せ目方向への往動の際に行うことを特徴とする請求項２に記載の編地の編成方法。
【請求項４】
工程Ｃにおける裏目ζの形成、および工程Ｇにおける裏目θの形成の少なくとも一方は、給糸口の往復移動のうち、始端方向への復動の際に行うことを特徴とする請求項２または３に記載の編地の編成方法。
【請求項５】
前側編地部と、後側編地部と、これら前後編地部のウエール方向端部の編目同士を伏せ目により繋ぐ伏せ目処理部と、を備える編地であって、
編地を表側から見たときに、前記伏せ目処理部は、
一方の編地部のウエール方向端部の編目に、編地の裏側から重ねられる裏目からなる第１伏せ目と、
他方の編地部のウエール方向端部の編目に、編地の裏側から重ねられる裏目からなる第２伏せ目と、が交互に連続する箇所を有し、
第１伏せ目と第２伏せ目とを繋ぎ、前後の編地部のウエール方向端部の編目間を渡る全ての渡り糸が、第１伏せ目と第２伏せ目よりも編地の表側に配置され、
第１伏せ目と第２伏せ目とが互いに交差することなく編地の裏側に重ねられることで、渡り糸が編地の表側で編目のように見えていることを特徴とする編地。
【発明の詳細な説明】
【技術分野】
【０００１】
本発明は、横編機を用いて、前後の針床に係止される各編地部のウエール方向端部の編目同士を伏せ目処理により繋ぎ合わせる編地の編成方法、および、その編成方法により得られた編地に関する。
【背景技術】
【０００２】
横編機で編地を編成する場合、その編地の最終コースの編目（ウエール方向端部の編目）が解れないように処理する方法として、伏せ目処理を挙げることができる。伏せ目処理は、編地の最終コースにおいて隣接する編目同士を重ね合わせて、これら重ね合わせた二重の編目（重ね目）に続いて新たに次コースの編目を形成する。そして、この新たに形成した編目をさらにその隣の編目と重ねて次コースの編目を形成する編成を編地の編幅方向の一端側から他端側に向けて繰り返す。【０００３】
このような伏せ目処理は、前後の針床でそれぞれ形成される編地部同士を繋ぎ合わせることにも利用できる。例えば、特許文献１や２には、前後の編地部の肩部同士を接合して伏せ目処理を行う際、編地を着用したときの編地の表側に伏せ目が現れないように、伏せ目を編地の裏側に配置する編地の編成方法を開示している。
【先行技術文献】
【特許文献】
【０００４】
【特許文献１】特許第３０４４３６８号公報
【特許文献２】特許第３７９８０６２号公報
【発明の概要】
【発明が解決しようとする課題】
【０００５】
上記特許文献１や２の技術で編成された編地は、伏せ目を編地の裏側に配置しており、表側に出る編地の出っ張りなどを抑えているものの、編地の表側に伏せ目処理した部分が前後編地部の境界として現れる。一例として、特許文献１の編成方法で編成された伏せ目処理部の写真を図９に示す。この境界は、編地のデザインと見なすことができるので、特に問題とならないが、近年のニーズの多様化に伴い、この前後の編地部の境界が編地の表側から見た目に分からないようにすることも望まれている。【０００６】
本発明は、上記事情に鑑みてなされたものであり、その目的は、前後の編地部のウエール方向端部の編目同士を伏せ目処理にて繋ぐにあたり、前後の編地部の境界を編地の表側から見たときに、前後の編地部が繋ぎ目なく編成されたようにできる編地の編成方法、およびその方法を適用して編成された編地を提供することにある。
【課題を解決するための手段】
【０００７】
本発明者は、上記課題を解決するにあたり、まず、編地部のウエール方向端部の編目に裏目を形成して、その裏目を伏せ目として編地の裏側に配置することを、前後の編地部に対して交互に行うことで、前後の編地部の境界を目立たなくできるのではないかと考えた。裏目は、編地の表側から裏側に向かって旧編目から引き出される編目であり、交互に形成される裏目同士を繋ぐ編糸が、前後の編地部の境界で編地の表側に現れることで編目のように見えると考えられるからである。【０００８】
しかし、実際に、裏目を伏せ目として編地の裏側に配置するために、相当程度のパターンの編成を試みたところ、特許文献１や２に示す編成方法で編成した編地よりも前後の編地部の境界が目立つ結果となった。そこで、本発明者が試作した編地について詳細に検討したところ、一方の編地部に形成される伏せ目（裏目）から他方の編地部に形成される伏せ目（裏目）に延びる一部の編糸が、他方の伏せ目に巻きつくように配置されていることが分かった。そして、その編糸が他方の伏せ目を引っ張って、その伏せ目や、その伏せ目が形成される旧編目を反転させたり捻じれさせたりなど、著しく変形させ、編地の裏側に配置したはずの伏せ目が、編地の表側に露出してしまうことが分かった。【０００９】
上述した試行錯誤の結果、本発明者は、前後の針床で交互に裏目を形成するにあたり、給糸口から延びる編糸の配置状態を制御することで、編地の裏側に配置した伏せ目が反転するといった問題を解決できることを見出し、本発明を完成するに至った。この知見に基づいて、本発明を以下に規定する。【００１０】
本発明編地の編成方法は、少なくとも前後一対の針床を有し、ラッキング可能で、前後の針床間で編目の目移しが可能な横編機を用いて、前後の針床に係止される各編地部のウエール方向端部の編目を伏せ目処理により繋ぎ合わせる編地の編成方法に係る。この本発明編地の編成方法は、針床の長手方向に伏せ目が順次形成されていく方向を伏せ目方向、伏せ目方向とは逆方向で、伏せ目が形成され始める部分に向かう方向を始端方向としたときに、次の［１］および［２］を１つの給糸口から給糸される編糸を用いて交互に繰り返す過程を含む。
［１］  一方の針床に係止される編地部の隣接する２つの編目のうち、始端側の編目が当該編地部の裏側に配置される伏せ目となるように、これら２つの編目同士を重ね合わせ、その重ね目に続いて、当該編地部の裏側に配置される次の伏せ目となる裏目を新たに形成すること。
［２］  他方の針床に係止される編地部の隣接する２つの編目のうち、始端側の編目が当該編地部の裏側に配置される伏せ目となるように、これら２つの編目同士を重ね合わせ、その重ね目に続いて、当該編地部の裏側に配置される次の伏せ目となる裏目を新たに形成すること。
そして、本発明編地の編成方法は、上記過程において、交互に裏目を形成するときに、先に形成された裏目から給糸口に延びる編糸が、その裏目の表側に交差するように給糸口を移動させてから次の裏目を形成することを特徴とする。【００１１】
ところで、裏目は、一方の針床に係止される旧編目を一旦他方の針床に目移しして、この旧編目にニットすることで形成される。この形成された新たな編目を一方の針床側から見れば、一方の針床側から他方の針床側に向かって旧編目から引き出される裏目となる。本明細書における「裏目の表側」は、上記例の場合、新たに形成される編目（裏目）よりも一方の針床側のことである。【００１２】
本発明編地の編成方法の一形態として、一方の針床に係止される編地部の隣り合う編目のうち、始端方向側の編目を編目α、伏せ目方向側の編目を編目βとし、他方の針床に係止される編地部の隣り合う編目のうち、始端方向側の編目を編目γ、伏せ目方向側の編目を編目δとしたときに、以下の工程Ａ〜工程Ｈを備え、これら工程Ａ〜Ｈを繰り返すことが好ましい。
［工程Ａ］  給糸口を編目γよりも始端方向側に配置した状態で、編目γを対向する一方の針床に目移しする。
［工程Ｂ］  編目γと編目δとを重ね合わせることで重ね目εを形成する。
［工程Ｃ］  重ね目εを通過するように給糸口を往復移動させる間に重ね目εが係止される編針に給糸して、裏目ζを形成する。
［工程Ｄ］  裏目ζを他方の針床に目移しする。
［工程Ｅ］  給糸口を編目αよりも始端方向側に配置した状態で、編目αを対向する他方の針床に目移しする。
［工程Ｆ］  編目αと編目βとを重ね合わることで重ね目ηを形成する。
［工程Ｇ］  重ね目ηを通過するように給糸口を往復移動させる間に重ね目ηが係止される編針に給糸して、裏目θを形成する。
［工程Ｈ］  裏目θを一方の針床に目移しする。【００１３】
上記工程Ａ〜工程Ｈを備える本発明編地の編成方法において、工程Ｃにおける裏目ζの形成、および工程Ｇにおける裏目θの形成の少なくとも一方は、給糸口の往復移動のうち、伏せ目方向への往動の際に行うことができる。【００１４】
また、上記工程Ｃにおける裏目ζの形成、および工程Ｇにおける裏目θの形成の少なくとも一方は、給糸口の往復移動のうち、始端方向への復動の際に行うこともできる。【００１５】
一方、本発明編地は、前側編地部と、後側編地部と、これら前後編地部のウエール方向端部の編目同士を伏せ目により繋ぐ伏せ目処理部と、を備える編地に係る。この本発明編地の伏せ目処理部は、編地を表側から見たときに、一方の編地部のウエール方向端部の編目に、編地の裏側から重ねられる裏目からなる第１伏せ目と、他方の編地部のウエール方向端部の編目に、編地の裏側から重ねられる裏目からなる第２伏せ目と、が交互に連続する箇所を有する。そして、本発明編地は、伏せ目処理部において、第１伏せ目と第２伏せ目とを繋ぎ、前後の編地部のウエール方向端部の編目間を渡る全ての渡り糸が、第１伏せ目と第２伏せ目よりも編地の表側に配置されることを特徴とする。
【発明の効果】
【００１６】
本発明編地の編成方法によれば、前後の編地部に形成される伏せ目が編地の裏側に配置され、しかも前後の編地部に形成される伏せ目同士を繋ぐ渡り糸が、編地の表側に現れる本発明編地を編成することができる。【００１７】
また、本発明編地は、編地を構成する前後の編地部を繋ぐ伏せ目処理部を編地の表側から見ると、繋ぎ目がなく編成されたように見えるので、非常に見栄えが良い。これは、伏せ目処理部の伏せ目が編地の裏側に配置され、しかも、前後の編地部に交互に形成された伏せ目同士を繋ぐ渡り糸が、編地の表側で編目のように見えるからである（後述する実施形態の図４を参照）。
【図面の簡単な説明】
【００１８】
【図１】第１実施形態に記載の編地の編成方法に係る編成工程図である。
【図２】図１に続く編成工程図である。
【図３】第１実施形態に記載の編地の編成方法で編成した編地のループ図である。
【図４】第１実施形態に記載の編地の編成方法で編成した編地の写真である。
【図５】第２実施形態に記載の編地の編成方法に係る編成工程図である。
【図６】図５に続く編成工程図である。
【図７】第２実施形態に記載の編地の編成方法で編成した編地のループ図である。
【図８】（Ａ）および（Ｂ）は共に、第３実施形態に記載の編地の編成方法で編成した編地のループ図である。
【図９】特許文献１に記載の編地の編成方法で編成した編地の写真である。
【発明を実施するための形態】
【００１９】
以下、本発明の第１実施形態〜第３実施形態を図面に基づいて説明する。これらの実施形態に記載の編成はいずれも、左右方向に延び、かつ前後方向に互いに対向する前後一対の針床を有する２枚ベッド横編機を用いた編成例である。もちろん、使用する横編機は４枚ベッド横編機であっても良い。
【００２０】
［第１実施形態］
第１実施形態では、図１のＳ１に示すように、前針床（以下、ＦＢ）に係止される前側編地部２０Ｆと、後針床（以下、ＢＢ）に係止される後側編地部２０Ｂとを伏せ目処理により接合する例を説明する。参照する図１の左欄に記載される「大文字アルファベット＋数字」は編成工程の番号を、右欄に記載される矢印は給糸口の移動方向、「Ｋ」は給糸口の移動に伴いニットを行うことを示す。また、図１において、○は針床に係止される編目を、●は各編成工程において編成される編目を、◎は重ね目を、▼は給糸口を示す。さらに、図１では、紙面左側から伏せ目を形成し始め、右側に向かって順次伏せ目処理が行われていくので、紙面右方向を「伏せ目方向ＲＳ」と呼び、紙面左方向を「始端方向ＬＳ」と呼ぶ。なお、図１におけるこれらの定義は、後述する図２、図５、図６についても同様である。
【００２１】
まず、ＦＢに前側編地部２０Ｆが係止され、ＢＢに後側編地部２０Ｂが係止されている図１のＳ１の状態から、ＢＢの編針２に係止される後側編地部２０Ｂの左側端の編目γを対向するＦＢの編針２（編目αと編目βとの間の編針）に目移しする（Ｓ２）。このとき、給糸口は、編目γよりも始端方向ＬＳ側にあり、その給糸口から延びる編糸は、ＦＢの編針１に係止される編目αに繋がっている。そして、Ｓ２で目移しした編目γに、Ｓ１において編目γに隣り合っていたＢＢの編針４に係止される編目δを重ね合わせて、重ね目εを形成する（Ｓ３）。この重ね目εを形成する際は、針床のラッキングを利用すれば良い。
【００２２】
次いで、給糸口を伏せ目方向ＲＳに移動させる間に、Ｓ３でＦＢの編針２に形成した重ね目εに続く新たな編目ζを形成する（Ｓ４）。その後、給糸口を始端方向ＬＳに移動させ、前側編地部２０Ｆの左側端の編目αよりも始端方向ＬＳ側に停止させ（Ｓ５）、Ｓ４で形成した新たな編目ζを対向するＢＢの編針２に目移しする（Ｓ６）。このＳ４〜Ｓ６で新たに形成された編目ζは、後工程で伏せ目となる編目であって、後側編地部２０Ｂの編目に続いて形成される裏目である。また、伏せ目処理が開始される後側編地部２０Ｂの左側端の編目γは、出来上がる編地の裏側に配置される。
【００２３】
上記Ｓ１〜Ｓ６により後側編地部２０Ｂの左側端の編目γに対する伏せ目処理が終了したら、今度は前側編地部２０Ｆの左側端の編目αに対する伏せ目処理を開始する。具体的には、ＦＢの編針１に係止される前側編地部２０Ｆの左側端の編目αをＢＢの編針１に目移しし（Ｓ７）、その目移しした編目αにＦＢの編針３に係止される編目βを重ね合わせて、重ね目ηを形成する（Ｓ８）。このとき、Ｓ４で形成され、Ｓ７の時点でＢＢの編針２に係止される編目ζから給糸口に延びる編糸は、Ｓ７でＢＢの編針１に目移しされた編目αの表側、つまり、接合される前後の編地部２０Ｆ、２０Ｂの表側に配置される。
【００２４】
次に、給糸口を伏せ目方向ＲＳに移動させる間に、Ｓ８で形成した重ね目ηに続く新たな編目θを形成し（Ｓ９）、その後、給糸口を始端方向ＬＳに移動させ、給糸口をＢＢの編針１に係止される編目θよりも始端方向ＬＳ側に位置させる（Ｓ１０）。新たに形成された編目θは、後工程で伏せ目となる編目であって、前側編地部２０Ｆの編目に続いて形成される編目であるので裏目となる。また、この編目θと編目ζとは編糸で直接繋がっている。
【００２５】
さらに、図１のＳ１０の状態からＢＢの編針１と編針２に係止される編目をそれぞれ、ＦＢの編針３とＢＢの編針４に目移しする（図２のＳ１１）。そして、Ｓ１〜Ｓ１１を経てＢＢに係止された後側編地部２０Ｂの左側端の編目となったＢＢの編針４に係止される編目γ（Ｓ２〜Ｓ６により形成した編目ζと同じ編目）を伏せ目処理すると共に、前側編地部２０Ｆの左側端の編目となったＦＢの編針３に係止される編目α（Ｓ７〜Ｓ１０により形成した編目θと同じ編目）を以下のように伏せ目処理する。
【００２６】
まず、ＢＢの編針４に係止される編目γを対向するＦＢの編針４に目移しし（Ｓ１２）、その編目γに、ＢＢの編針６に係止される編目δを重ね合わせて、重ね目εを形成する（Ｓ１３）。そして、給糸口を伏せ目方向ＲＳに移動させつつ、ＦＢの編針４の重ね目εに続く新たな編目ζを形成し（Ｓ１４）、直ぐに給糸口を始端方向ＬＳに移動させ、前側編地部２０Ｆの編目αよりも始端方向ＬＳ側に給糸口を配置した後（Ｓ１５）、Ｓ１４で形成した編目ζをＢＢの編針４に目移しする（Ｓ１６）。
【００２７】
次に、Ｓ１〜Ｓ１１を経て前側編地部２０Ｆの左側端の編目となったＦＢの編針３に係止される編目αを伏せ目処理する。具体的には、ＦＢの編針３に係止される編目を対向するＢＢの編針３に目移しする（Ｓ１７）。このとき、Ｓ１４で形成され、Ｓ１７の時点でＢＢの編針４に係止される編目ζから給糸口に延びる編糸は、Ｓ１７でＢＢの編針３に目移しされた編目αの表側、つまり、接合される前後の編地部の表側に配される。その状態で、Ｓ１７で目移しされた編目αに、ＦＢの編針５の編目βを重ね合わせて（Ｓ１８）、伏せ目方向ＲＳに給糸口を移動させる間にＳ１８で形成した重ね目ηに続く新たな編目θを形成する（Ｓ１９）。そして、給糸口を始端方向ＬＳに移動させ、Ｓ１９で形成され、ＢＢの編針３に係止される編目θよりも始端方向ＬＳ側に給糸口を位置させる（Ｓ２０）。
【００２８】
ここで、Ｓ２０の編目の配置状態を見ると、図１のＳ１０における編目の配置状態と比べて、前後の編地部の編目が１つずつ減って、全体的に２針分ずつ伏せ目方向ＲＳにずれているだけである。従って、Ｓ２０より以降の伏せ目処理は、Ｓ１１〜Ｓ２０と同様の編成を繰り返せば良い。
【００２９】
以上の編成工程を経て得られた編地のループ図を図３に、その編地の写真を図４に示す。なお、図３では、細線で前側編地部２０Ｆと後側編地部２０Ｂとを表し、太線で伏せ目処理部２０Ｘを示している。
【００３０】
図３に示すループ図から分かるように、前側編地部２０Ｆのウエール方向端部の編目に続いて形成される裏目θと、後側編地部のウエール方向端部の編目に続いて形成される裏目ζとが交互に形成され、これら裏目θ，ζが、伏せ目として編地の裏側（紙面奥側）に配置されている。また、この編地では、前後の伏せ目同士を繋ぎ、前後の編地部間を渡る編糸（渡り糸）が、編地を表側から見たときに、伏せ目よりも表側に配置されている。これにより、前側編地部２０Ｆと後側編地部２０Ｂのいずれの側においても、始端方向側（紙面左側）の伏せ目α（γ）と、編地部の端部の編目β（δ）とからなる重ね目に対して形成される伏せ目θ（ζ）が編地の表側から裏側に向かって引き出された状態となっている。このような伏せ目と渡り糸との関係により、渡り糸が、伏せ目を引っ張って反転させることがなく、しかも、渡り糸が前後の編地部の間に配された編目のように見えるので、図４の写真に示すように、前後の編地部を繋ぐ伏せ目処理部が殆ど判別できないほどである。
【００３１】
［第２実施形態］
第２実施形態では、第１実施形態と伏せ目処理の手順の一部が異なる編地の編成方法と、その編成方法により得られた編地を図５〜７に基づいて説明する。なお、第２実施形態の編成工程と第１実施形態の編成工程は、殆どの部分で共通するので、両者の相違点についてのみ以下に説明する。
【００３２】
この第２実施形態は、以下の点で第１実施形態と異なる。まず、第１実施形態では、図１のＳ４，Ｓ９と図２のＳ１４，Ｓ１９に示すように、重ね目ε（η）に続いて伏せ目となる裏目ζ（θ）を形成する際、給糸口を伏せ目方向ＲＳに移動させたときに当該裏目ζ（θ）を形成した。これに対して、第２実施形態では、重ね目ε（η）に続いて伏せ目となる裏目ζ（θ）を形成する際、給糸口を伏せ目方向ＲＳに移動させたときには形成せずに（図５のＴ４，Ｔ９と図６のＴ１４，Ｔ１９）、給糸口を始端方向ＬＳに反転させたときに形成する（図５のＴ５，Ｔ１０と図６のＴ１５，Ｔ２０）。
【００３３】
上記図５、図６の編成方法で得られた編地のループ図を図７に示す。この図７に示す編地においても、第１実施形態で得られた編地と同様に、前側編地部２０Ｆのウエール方向端部の編目に続いて形成される裏目θと、後側編地部のウエール方向端部の編目に続いて形成される裏目ζとが交互に形成され、これら裏目θ，ζが、伏せ目として編地の裏側（紙面奥側）に配置されている。また、この編地では、前後の伏せ目同士を繋ぎ、前後の編地部間を渡る編糸（渡り糸）が、編地を表側から見たときに、伏せ目よりも表側に配置されている。そのため、前後の編地部を繋ぐ伏せ目処理部が殆ど判別できないほどである。
【００３４】
［第３実施形態］
第１実施形態では、伏せ目となる裏目を伏せ目方向ＲＳの編成で形成し、第２実施形態では、伏せ目となる裏目を始端方向ＬＳの編成で形成したが、前後の編地部で伏せ目方向ＲＳの編成と始端方向ＬＳの編成を混在させても良い。
【００３５】
例えば、後側編地部では、伏せ目方向ＲＳの編成により伏せ目となる裏目を形成して、給糸口を始端方向ＬＳに戻すことを行い、前側編地部では、伏せ目方向への給糸口の移動時に編成を行わず、始端方向ＬＳの編成により伏せ目となる裏目を形成することを行えば、図８（Ａ）のループ図に示すような編糸の配置状態を有する伏せ目処理が行われる。また、図８（Ａ）とは逆に、後側編地部の伏せ目となる裏目を始端方向ＬＳの編成で、前側編地部の伏せ目となる裏目を伏せ目方向ＲＳの編成で形成すれば、図８（Ｂ）のループ図に示すような伏せ目処理が行われる。これら図８（Ａ）、（Ｂ）に示す編地でも、第１実施形態と第２実施形態と同様に、裏目からなる伏せ目が編地の裏側に配置され、かつ、前後の伏せ目を繋ぐ渡り糸が伏せ目の表側に配置されているので、この編地に備わる前後の編地部２０Ｆ，２０Ｂを繋ぐ伏せ目処理部２０Ｘが見た目に殆ど判別できないほどである。
【００３６】
なお、本発明は、上述した実施形態に限定されるわけではなく、本発明の要旨を逸脱しない範囲で適宜変更することができる。例えば、ノースリーブの編地を編成するにあたり前後の身頃を肩部で接合することに、本発明編地の編成方法を適用しても良い。その場合、伏せ目処理により肩部を接合する前に、引き返し編成を行って編地の袖口から衿ぐりに向かって順次編成コースを増加させ、その後、本発明編地の編成方法により前後の身頃を接合すれば良い。
【符号の説明】
【００３７】
１〜１２  編針
ＦＢ  前針床  ＢＢ  後針床
ＲＳ  伏せ目方向  ＬＳ  始端方向
２０Ｆ  前側編地部  ２０Ｂ  後側編地部  ２０Ｘ  伏せ目処理部
α、β，
ε，η  重ね目
ζ，θ  編目（裏目）
【図１】
0005619008.tif 000002
【図２】
0005619008.tif 000003
【図３】
0005619008.tif 000004
【図５】
0005619008.tif 000005
【図６】
0005619008.tif 000006
【図７】
0005619008.tif 000007
【図８】
0005619008.tif 000008
【図４】
0005619008.tif 000009
【図９】
0005619008.tif 000010